(57)【要約】【課題】  洗濯物を洗濯する間、残留洗剤がヒータの位置した空間又は特定空間に集まる現象を防止し得る洗濯機の洗濯方法及びその装置を提供する。  又、洗濯機に供給される不必要な洗濯水の発生を最大限抑制し得る洗濯機の洗濯方法及びその装置を提供する。  又、洗濯物を効率的に洗濯するために、洗濯前に該当の洗濯物を迅速に加熱し得る洗濯機の洗濯方法及びその装置を提供する。【解決手段】  洗濯機の内部に供給される洗濯水を加熱して蒸気を発生する段階と、該発生された蒸気を前記洗濯機のドラム１４０内部の洗濯物に噴射する段階と、前記蒸気を前記洗濯物に噴射した後、前記ドラム１４０を回動させて前記洗濯物を洗濯する段階と、を順次行って洗濯をする。【選択図】      図１
2005058741.tif 000002
【特許請求の範囲】
【請求項１】
洗濯機の内部に供給される洗濯水を加熱して蒸気を発生する段階と、
該発生された蒸気を前記洗濯機のドラム内部の洗濯物に噴射する段階と、
前記蒸気を前記洗濯物に噴射した後、前記ドラムを回動させて前記洗濯物を洗濯する段階と、を順次行うことを特徴とする洗濯機の洗濯方法。
【請求項２】
前記蒸気を発生する段階は、
前記洗濯機の内部に供給される洗濯水を前記ドラム内部の洗濯物に供給した後、前記洗濯水を加熱して蒸気を発生することを特徴とする請求項１記載の洗濯機の洗濯方法。
【請求項３】
前記ドラム内部の洗濯物に洗濯水を供給する段階は、
使用者により発生する洗濯命令信号に基づいて前記洗濯機のドラムとタブ間の空間に洗濯水を供給する第１段階と、
前記空間に供給される洗濯水の水位を感知する第２段階と、
該感知された水位が予め設定された上限水位に到達したかを判断する第３段階と、
前記空間内の水位が前記予め設定された上限水位に到達すると、前記洗濯水の供給を停止し、前記空間と連通された循環ポンプを駆動させて、前記空間内の洗濯水を前記ドラムの内部に供給する第４段階と、
前記ドラムの内部に洗濯水を供給することで、下降される前記空間内の水位を感知し、該感知された水位が予め設定された下限水位に到達したかを判断する第５段階と、
該第５段階で、前記収容領域内の水位が前記予め設定された下限水位に到達せずに、前記収容領域内の水位が予め設定された洗濯水供給時間の間持続する時、前記洗濯機内に供給される洗濯水を遮断する第６段階と、を順次行うことを特徴とする請求項２記載の洗濯機の洗濯方法。
【請求項４】
前記洗濯水を遮断する段階は、
前記第５段階で、前記空間内の水位が前記予め設定された上限水位に到達すると、前記循環ポンプを停止させ、前記空間の内部に前記洗濯水を再び供給することを特徴とする請求項３記載の洗濯機の洗濯方法。
【請求項５】
前記蒸気を洗濯物に噴射する段階は、
前記洗濯機の内部に供給される洗濯水を前記ドラム内部の洗濯物に供給した後、前記洗濯物を収容するドラムと連通され、ヒータが内蔵された蒸気発生装置の内部に用水を供給する段階と、
該供給された用水を前記ヒータにより加熱させて蒸気を発生する段階と、
該発生された蒸気を予め設定された蒸気噴射時間の間前記ドラム内の洗濯物に噴射する段階と、
前記予め設定された蒸気噴射時間が経過すると、前記蒸気発生を停止させる段階と、を順次行うことを特徴とする請求項１記載の洗濯機の洗濯方法。
【請求項６】
洗濯機の内部に供給される洗濯水を加熱して蒸気を発生する手段と、
該発生された蒸気を前記洗濯機のドラム内部の洗濯物に噴射する手段と、
前記蒸気を前記洗濯物に噴射した後、前記洗濯機のドラムを回動させて前記洗濯物を洗濯する手段と、を含んで構成されることを特徴とする洗濯機の洗濯装置。
【請求項７】
前記蒸気を発生する手段は、
蒸気を保存するための容器と、
該容器の内部に装着されて、前記容器内に予め設定された水位まで用水が供給されると、該供給された用水を加熱させて蒸気に変換させるヒータと、
前記容器の内部に装着されて、前記変換された蒸気を排出する蒸気排出管と、から構成されることを特徴とする請求項６記載の洗濯機の洗濯装置。
【請求項８】
前記蒸気を発生する手段は、
前記排出された蒸気を前記洗濯機のドラム内部の洗濯物に噴射する噴射ノズルを更に含むことを特徴とする請求項７記載の洗濯機の洗濯装置。
【請求項９】
前記蒸気を発生する手段は、
前記容器内に装着されて、前記容器内の水位を制御する水位センサを更に含むことを特徴とする請求項８記載の洗濯機の洗濯装置。
【請求項１０】
前記蒸気を発生する手段は、
前記容器内に装着されて、前記洗濯機が振動する時、前記容器内の用水が揺れる現象を防止するための隔膜を更に含むことを特徴とする請求項９記載の洗濯機の洗濯装置。
【請求項１１】
ドラム型洗濯機の内部モータの回転力により回転して洗濯物を洗濯するドラムと、
該ドラムに連結されて、該ドラムの内部に洗濯水を供給する給水管と、
前記ドラムの上方に装着されて、該ドラムの内部に洗剤を供給する洗剤ボックスと、
前記ドラムの上方に装着されて、該ドラムの内部に蒸気を供給する蒸気発生装置と、
該蒸気発生装置から発生された蒸気を前記ドラムの内部に噴射させる噴射ノズルと、
前記ドラムの内部の洗濯水を排水させる排水管と、
該排水管から排水された洗濯水をポンピングして、循環水管を通して前記噴射ノズルに循環させる循環ポンプと、を含んで構成されることを特徴とする洗濯機。
【請求項１２】
前記蒸気発生装置は、
蒸気を保存するための容器と、
該容器の内部底面上に装着されて、前記容器内に予め設定された水位まで用水が供給されると、該供給された用水を加熱させて蒸気に変換させるヒータと、
前記容器の内部に装着されて、前記変換された蒸気を排出する蒸気排出管と、
該排出された蒸気を前記洗濯機のドラム内部の洗濯物に噴射する噴射ノズルと、
前記容器の内部に装着されて、前記容器内の水位を制御する水位センサと、
前記容器の内部に装着されて、前記洗濯機が振動する時、前記容器内の用水が揺れる現象を防止するための隔膜と、から構成されることを特徴とする請求項１１記載の洗濯機の洗濯装置。
【発明の詳細な説明】
【技術分野】
【０００１】
本発明は、洗濯機に係るもので、詳しくは、ドラム型洗濯機の洗濯方法及びその装置に関するものである。
【背景技術】
【０００２】
一般に、洗濯機は、洗濯、濯ぎ及び脱水行程を行って洗濯物を洗濯する機械装置であって、洗濯方式によってパルセータ型、撹拌型及びドラム型に大別される。以下、従来のドラム型洗濯機に対し、図６に基づいて説明する。
図６は従来のドラム型洗濯機を示した断面図で、図示されたように、前記ドラム型洗濯機１は、洗濯物を洗濯するために内面に複数のリフト５が形成されたドラム４と、該ドラム４を回転させるために該ドラム４に嵌合された回転軸３と、プーリにより回転力を前記回転軸３に伝達するモータ６と、前記回転軸３を支持すると共に、洗濯水を保存するために前記ドラム４の外側に結合されたタブ２と、該タブ２の下部に装着されて洗濯水を加熱するヒータ７と、を含んで構成されている。
【０００３】
以下、このように構成された従来のドラム型洗濯機の動作に対して説明する。
まず、使用者が前記ドラム型洗濯機１のドラム４に洗濯物を投入した後、開始ボタンを押すと、前記ドラム４に洗濯水が供給されると同時に、前記モータ６に電源が印加される。このとき、前記モータ６の回転力は、プーリ及びベルトなどの伝動体系により前記回転軸３に到達することで、該回転軸３が前記モータ６の回転力により回動される。即ち、前記回転軸３によって前記ドラム４が正逆方向に回動することで、前記ドラム４内部の洗濯物が洗濯される。且つ、前記ドラム４内面の複数のリフト５により洗濯物が持ち上げられて落下することで、衝撃力及び屈伸が発生して洗濯が行われる。
【０００４】
このようなドラム型洗濯機は、洗剤、洗濯水及び洗濯物がドラムの内部に投入された状態で、前記モータ６の回転力を受けて回転するドラム４と洗濯物との摩擦力を利用して洗濯を行う方式で、洗濯物の損傷がほとんどなく、洗濯物が相互絡むこともないため、叩くか揉んで洗う洗濯効果を発揮することができる。
一方、前記従来のドラム型洗濯機に対しては、米国特許登録番号第６、６１５、６１９号及び第６、６１２、１３８号に記載されている。
【０００５】
然るに、従来のドラム型洗濯機においては、洗濯水を加熱するヒータ７がタブ２の下部に装着されるため、洗濯物を洗濯する間、残留洗剤が前記ヒータ７の位置した空間に集まるという不都合な点があった。
又、洗濯水を加熱するヒータ７がタブ２の下部に装着されるため、前記ヒータ７の占有空間に用水が供給されることで、前記ドラム型洗濯機に供給すべき洗濯水が増加し、且つ、前記ドラム４とタブ２間の間隔が広くなることで、前記ドラム４とタブ２間に供給される洗濯水が増加するという不都合な点があった。
又、洗濯水をタンブリングすることで、洗濯物の濡れる速度が遅れるという不都合な点があった。
【発明の開示】
【発明が解決しようとする課題】
【０００６】
本発明は、このような従来の課題に鑑みてなされたもので、洗濯物を洗濯する間、残留洗剤がヒータの位置した空間又は特定空間に集まる現象を防止し得る洗濯機の洗濯方法及びその装置を提供することを目的とする。
又、洗濯機に供給される不必要な洗濯水の発生を最大限抑制し得る洗濯機の洗濯方法及びその装置を提供することを目的とする。
又、洗濯物を効率的に洗濯するために、洗濯前に該当の洗濯物を迅速に加熱し得る洗濯機の洗濯方法及びその装置を提供することを目的とする。
【課題を解決するための手段】
【０００７】
このような目的を達成するため、本発明に係る洗濯機の洗濯方法は、洗濯機の内部に供給される洗濯水を加熱して蒸気を発生する段階と、該発生された蒸気を前記洗濯機のドラム内部の洗濯物に噴射する段階と、前記蒸気を前記洗濯物に噴射した後、前記ドラムを回動させて前記洗濯物を洗濯する段階と、を順次行うことを特徴とする。
又、本発明に係る洗濯機の洗濯装置は、洗濯機内に供給される洗濯水を加熱して蒸気を発生する手段と、該発生された蒸気を前記洗濯機のドラム内部の洗濯物に噴射する手段と、前記蒸気を前記洗濯物に噴射した後、前記洗濯機のドラムを回動させて前記洗濯物を洗濯する手段と、を含んで構成されることを特徴とする。
【０００８】
又、本発明に係る洗濯機の洗濯装置は、ドラム型洗濯機の内部モータの回転力により回動して洗濯物を洗濯するドラムと、該ドラムに連結されて、該ドラムの内部に洗濯水を供給する給水管と、前記ドラムの上方に装着されて、該ドラムの内部に洗剤を供給する洗剤ボックスと、前記ドラムの上方に装着されて、該ドラムの内部に蒸気を供給する蒸気発生装置と、該蒸気発生装置から発生された蒸気を前記ドラムの内部に噴射させる噴射ノズルと、前記ドラム内の洗濯水を排水させる排水管と、該排水管から排水された洗濯水をポンピングして、循環水管を通して前記噴射ノズルに循環させる循環ポンプと、を含んで構成されることを特徴とする。
【発明の効果】
【０００９】
以下に説明するように、本発明に係る洗濯機の洗濯方法及びその装置は、洗濯機内に供給される洗濯水を加熱して蒸気を発生し、該発生された蒸気を前記洗濯機のドラム内部の洗濯物に噴射し、前記蒸気を前記洗濯物に噴射した後、前記ドラムを回動させて前記洗濯物を洗濯することで、洗濯物を洗濯する間、残留洗剤がヒータの位置した空間又は特定空間に集まる現象を防止し、不必要な洗濯水の発生を最大限抑制し、且つ、洗濯前に該当の洗濯物を迅速に加熱することで、効率的な洗濯を行い得るという効果がある。
又、本発明に係る洗濯機の洗濯装置に適用された蒸気発生装置は、水位センサにより小さな容器サイズに水を再び充填して蒸気を発生し、必要な蒸気発生量に比べて容器サイズをコンパクトにすることで、洗濯機に容易に装着し得るという効果がある。
【発明を実施するための最良の形態】
【００１０】
以下、本発明の実施の形態に対し、図面に基づいて説明する。
図１は本発明に係る蒸気発生装置が装着されたドラム型洗濯機を示した斜視図で、図示されたように、本発明に係る蒸気発生装置が装着されたドラム型洗濯機は、洗濯機の内部モータ（図示せず）の回転力により回動して洗濯物を洗濯するドラム１４０と、該ドラム１４０の内部に洗濯水を供給する給水管１００と、前記ドラム１４０の内部に洗剤を供給する洗剤ボックス１９０と、前記ドラム１４０の内部に蒸気を供給する蒸気発生装置１１０と、該蒸気発生装置１１０から発生された蒸気を逆流防止用水溜め装置１２０により前記ドラム１４０の内部に噴射する噴射ノズル１３０と、前記ドラム１４０内の洗濯水を排水させる排水管１５０と、該排水管１５０から排水された洗濯水をポンピングして、循環水管１７０を通して前記逆流防止用水溜め装置１２０に循環させる循環ポンプ１６０と、前記ドラム１４０、給水管１００、洗剤ボックス１９０、蒸気発生装置１１０、噴射ノズル１３０、排水管１５０及び循環ポンプ１６０を保護する外観キャビネット１８０と、を含んで構成されている。
【００１１】
以下、本発明に係る蒸気発生装置１１０に対し、図２に基づいて説明する。
図２は本発明に係るドラム型洗濯機に装着された蒸気発生装置を示した構成図で、図示されたように、前記蒸気発生装置１１０は、蒸気を保存するための容器１１１と、該容器１１１の内部に装着されて、予め設定された水位まで用水が前記容器１１１の内部に供給されると、該供給された用水を加熱させて蒸気に変換させるヒータ１１４と、該ヒータ１１４に電源を供給するヒータコネクター１１６と、前記容器１１１の内部に保存された蒸気が所定圧力以上になると、前記噴射ノズル１３０を通して洗濯機のドラム１４０内部に蒸気を排出する蒸気排出管１１５と、前記蒸気発生装置１１０の中央に装着されて、前記容器１１１内部の水位を制御する水位センサ１１２と、前記容器１１１の内部に装着されて、前記洗濯機が振動する時、前記容器１１１内部の用水が揺れる現象を防止するための隔膜１１３と、から構成される。このとき、該隔膜１１３は、前記洗濯機が振動する時、前記水位センサ１１２により水位を制御するために前記容器１１１内に複数装着されるが、このとき、前記水位センサ１１２及び前記隔膜１１３は必要に応じて省くこともできる。
【００１２】
以下、本発明に係るドラム型洗濯機の動作に対して説明する。
まず、使用者が洗濯機に装着された洗濯動作ボタン（図示せず）を押すと、洗濯機の給水バルブ（図示せず）が開放されて、前記洗剤ボックス１９０内の洗剤と一緒に、洗濯に必要な予め決定された水位まで洗濯水が供給される。
次いで、前記給水動作が終了されると、前記給水バルブが閉鎖され、前記循環ポンプ１６０が動作されることで、洗剤を溶解するために予め設定された時間の間水が循環される。
【００１３】
次いで、本発明に係る蒸気発生装置１１０内部に予め設定された水位まで蒸気を発生するための用水が供給されると、該供給された蒸気発生用水を前記蒸気発生装置１１０の内部に装着されたヒータ１１４により加熱させて蒸気に変換する。次いで、該変換された蒸気を前記蒸気発生装置１１０の蒸気保存空間に集め、所定圧力以上になると、前記蒸気を前記噴射ノズル１３０を通して洗濯機のドラム１４０の内部に噴射する。
【００１４】
以下、本発明に係るドラム型洗濯機の洗濯方法に対し、図３に基づいて説明する。
図３は本発明に係るドラム型洗濯機の洗濯方法を示したフローチャートで、まず、制御部（図示せず）は、使用者のキー操作により洗濯命令信号が受信されると（Ｓ１００）、洗濯水を前記ドラム１４０の内部に供給する。即ち、前記制御部は、前記ドラム１４０とタブ（図示せず）間の洗濯水収容領域に洗濯水を供給し、該洗濯水が予め設定された上限水位に到達すると、該供給された洗濯水をドラムの内部に供給する。又、前記制御部は、前記洗濯物が洗濯水を吸収することで、前記洗濯水収容領域の水位が低くなって、予め設定された下限水位に到達すると、前記洗濯水をドラム１４０の内部に再び供給する動作を予め設定された時間の間反復することで、前記ドラム内部の洗濯物を洗濯水に浸す（Ｓ２００）。
【００１５】
次いで、前記制御部は、前記予め設定された時間が経過して前記過程（Ｓ２００）が終了されると、動作信号を発生し、該発生された動作信号を前記蒸気発生装置１１０に出力する。
次いで、前記蒸気発生装置１１０は、前記動作信号に基づいて前記洗濯水を加熱して蒸気を発生し、該発生された蒸気を前記噴射ノズル１３０を通して前記ドラム１４０の内部に噴射する。即ち、前記ドラム１４０に連通される蒸気発生装置１１０を利用して蒸気を発生し、該発生された蒸気を前記ドラム１４０内部の洗濯物に噴射する（Ｓ３００）。
【００１６】
次いで、前記制御部は、前記蒸気発生装置の内部温度が予め設定された温度になると、前記蒸気発生装置１１０の動作を停止させて前記過程（Ｓ３００）を終了した後、予め設定された時間の間（Ｓ４００）、前記過程（Ｓ２００、Ｓ３００）を順次反復して行う。このとき、前記発生された蒸気をドラム内部の洗濯物に供給することで、少量の洗濯水によっても洗濯効果を充分に増大することができる。即ち、前記ドラム型洗濯機のタブの下部にヒータを装着せずに、前記給水管１００を通して供給される洗濯水を蒸気に変換し、該変換された蒸気を前記ドラムの内部に供給することで、ヒータを前記タブの下部に装着するために前記ドラムとタブ間の間隔を広げる必要がない。且つ、前記ドラムとタブ間の間隔が狭くなることで、前記ドラムとタブ２間に供給される洗濯水の量が減少されるため、洗濯物を洗濯する間、残留洗剤がヒータの位置した空間又は特定空間に集まる現象を防止して、洗濯機に供給される不必要な洗濯水の発生を最大限抑制することができる。
【００１７】
次いで、前記制御部は、前記洗濯水及び蒸気をドラム１４０の内部に供給するために予め設定された時間が経過すると（Ｓ４００）、前記ドラム１４０が正回転及び逆回転を反復するように前記モータを駆動させて、ドラム内部の洗濯物を洗濯した後（Ｓ５００）、全体的な洗濯動作を終了する。
一方、前記洗濯水をドラムの内部に供給する過程（Ｓ２００）は、以下の洗濯水をドラムの内部に供給する実施形態により行われる。
【００１８】
図４は本発明に係るドラム型洗濯機の洗濯方法における洗濯水をドラムの内部に供給する方法の実施形態を示したフローチャートで、図示されたように、まず、前記制御部は、前記洗濯命令信号が受信されると（Ｓ２０１）、該洗濯命令信号によって洗濯水供給時間が経過したかを判断する（Ｓ２０２）。このとき、前記制御部は、前記洗濯水供給時間が経過してないと、前記給水バルブを開放して（Ｓ２０３）、前記ドラムとタブ間の空間（洗濯水収容空間）に洗濯水を供給する（Ｓ２０４）。
【００１９】
次いで、前記制御部は、水位感知部（図示せず）により前記収容空間内の水位を感知して、前記収容空間内の水位が予め設定された上限水位に到達したかを判断する（Ｓ２０５）。このとき、前記制御部は、前記収容空間内で上昇される水位が前記上限水位に到達してないと、前記洗濯水供給時間の間前記洗濯水を前記洗濯水収容空間に供給する。その反面、前記収容空間内の水位が前記上限水位に到達すると、前記給水バルブを閉鎖した後（Ｓ２０６）、前記ドラム型洗濯機の内部モータ及び循環ポンプを駆動させる（Ｓ２０７、Ｓ２０８）。
【００２０】
次いで、前記循環ポンプ１６０は、前記制御部の制御信号に基づいて循環ポンピング動作を行い、前記収容空間内部に供給された洗濯水を洗濯物の収容されたドラム内部に循環させる（Ｓ２０９）。このとき、前記洗濯水がドラム内部の洗濯物に吸収されることで、該洗濯物が浸される。
【００２１】
一方、前記制御部は、前記ドラム内部に洗濯水を供給することで、下降される前記収容空間内の水位を前記水位感知部により感知し、前記収容空間内の水位が前記予め設定された下限水位に到達したかを判断する（Ｓ２１０）。次いで、前記制御部は、前記収容空間内の水位が前記下限水位に到達すると、前記モータの駆動を停止させた後（Ｓ２１１）、前記循環ポンプの動作を停止させることで、前記収容空間内部に供給された洗濯水を前記ドラム内部に循環させる過程を終了する（Ｓ２１２）。
【００２２】
次いで、前記制御部は、前記過程（Ｓ２１２）が終了されると、前記洗濯水が前記予め設定された上限水位に到達する時まで、前記洗濯水を前記収容空間の内部に再び供給する。
次いで、前記制御部は、前記収容空間内の水位が低下せず、予め決定された洗濯水供給時間の間前記上限水位を維持するか、又は前記洗濯水供給時間が経過した時、前記洗濯水供給を中断し、前記蒸気をドラムの内部に噴射する過程（Ｓ３００）に復帰する。
【００２３】
以下、前記蒸気をドラムの内部に噴射する過程（Ｓ３００）の実施形態に対し、図５に基づいて説明する。
即ち、図５に示したように、前記制御部は、前記洗濯水をドラムに供給する過程（Ｓ２００）が終了されると、前記給水バルブを開放する（Ｓ３０１）。次いで、該給水バルブが開放されることで、前記給水バルブに連結された給水管１００を通して供給される用水は、前記蒸気発生装置１１０の内部に供給される（Ｓ３０２）。このとき、前記蒸気発生装置１１０は、洗濯物を収容するドラム１４０及び管を通して連結される。
【００２４】
次いで、前記水位センサ１１２は、前記蒸気発生装置内に用水が供給されると、該用水の水位が前記蒸気発生装置内に予め設定された上限水位に到達するかを判断し（Ｓ３０３）、前記上限水位に到達すると、給水バルブ閉鎖信号を前記制御部に出力する。このとき、前記制御部は、前記給水バルブ閉鎖信号に基づいて前記給水バルブを閉鎖し（Ｓ３０４）、前記蒸気発生装置内のヒータ１１４を駆動させる（Ｓ３０５）。
次いで、前記蒸気発生装置１１０は、前記制御部の制御信号に基づいて前記供給された用水を予め設定された加熱時間だけ加熱することで蒸気を発生し、該発生された蒸気を前記排出管１１５を通して前記盆地装置１２０に供給する。
【００２５】
次いで、前記水溜め装置１２０は、前記供給された蒸気を前記噴射ノズル１３０を通して前記ドラム内の洗濯物に噴射させる。
その後、前記水位センサ１１２は、前記蒸気発生装置１１０内の水位が前記蒸気発生装置内に予め設定された下限水位に到達すると（Ｓ３０６）、停止信号を発生する。このとき、前記蒸気発生装置１１０は、前記停止信号に基づいて前記ヒータ１１４の動作を停止させ（Ｓ３０７）、前記制御部は、予め設定された蒸気噴射時間が経過したかを判断する（Ｓ３０８）。
【００２６】
次いで、前記制御部は、前記予め設定された蒸気噴射時間が経過すると、蒸気噴射過程（Ｓ３００）を終了し、前記洗濯物を洗濯するための過程に復帰する（Ｓ５００）。即ち、前記制御部の制御信号によりモータが回転し、前記モータの回転力を受けたドラム１４０が回転して内部の洗濯物を洗濯する。その反面、前記予め設定された蒸気噴射時間が経過していないか、又は前記判断過程（Ｓ３０３）で前記蒸気発生装置１１０内に供給される用水の水位が前記上限水位に到達していない時は、前記給水バルブを開放する過程（Ｓ３０１）に復帰する。
一方、本発明に係る洗濯方法は、パルセータ型、撹拌型及びドラム型の洗濯機にも適用することができる。
【図面の簡単な説明】
【００２７】
【図１】本発明に係る蒸気発生装置が装着されたドラム型洗濯機を示した斜視図である。
【図２】本発明に係るドラム型洗濯機に装着された蒸気発生装置を示した構成図である。
【図３】本発明に係るドラム型洗濯機の洗濯方法を示したフローチャートである。
【図４】本発明に係るドラム型洗濯機の洗濯水をドラムの内部に供給する方法を示したフローチャートである。
【図５】本発明に係るドラム型洗濯機の蒸気をドラムの内部に噴射する方法を示したフローチャートである。
【図６】従来のドラム型洗濯機を示した断面図である。
【符号の説明】
【００２８】
１００…給水管
１１０…蒸気発生装置
１２０…水溜め装置
１３０…噴射ノズル
１４０…ドラム
１５０…排水管
１６０…循環ポンプ
１７０…循環水管
１８０…外観キャビネット
１９０…洗剤ボックス
【図１】
2005058741.tif 000003
【図２】
2005058741.tif 000004
【図３】
2005058741.tif 000005
【図４】
2005058741.tif 000006
【図５】
2005058741.tif 000007
【図６】
2005058741.tif 000008